(57)【要約】【課題】 構成部材の削減を図りつつ、開蓋状態において不意に閉じること故を確実に防止する。【解決手段】  避難装置において、リンク機構４を、枠体１の対向する側壁部１１の内面に軸着される第２リンク４２と、この第２リンク４２の上端側と上方蓋２の裏面に装着されるブラケット２１とにそれぞれ回転可能に軸着される第１リンク４１と、前記第２リンク４２と同様に枠体１の対向する側壁部１１の内面に軸着されるベルクランク状の第４リンク４４と、前記第２リンク４２の下端側と第４リンク４４の下端側とに回転可能に軸着される第３リンク４３と、前記第４リンク４４の上端側と下方蓋３とに回転可能に軸着される第５リンク４５とで構成されており、第５リンク４５の上端部に長孔４５ａが設けられることにより第４リンク４４と第５リンク４５との軸着部において第５リンク４５の長手方向に沿い摺動可能に形成してなる。【選択図】図１
0003113695.tif 000002
【実用新案登録請求の範囲】
【請求項１】
床、ベランダ等のスラブに設けられた孔部に取り付けられる枠体と、この枠体の一側壁側に軸着されて上方に開蓋する上方蓋と、上記側壁と対向する反対側壁側に軸着されて下方に開蓋する下方蓋と、これら上方蓋及び下方蓋を互いに連結し、上方蓋の開閉に連動して下方蓋を開閉し、かつ開放されたとき上方蓋をほぼ直立状に固定維持するリンク機構とを具備する建物用避難ハッチにおいて、
上記リンク機構を、上端部が上記上方蓋に軸着される第１リンクと、
上記枠体に形成される第１取付部に中間部が軸着されるとともに、上記第１リンクの下端部と上端部において軸着される第２リンクと、
上記第２リンクの下端部と上端部が軸着される第３リンクと、
上記第３リンクの下端部と上端部において軸着されるとともに、略中央部が上記枠体の側壁部内方に突設される第２取付部と軸着されるベルクランク状の第４リンクと、
上記第４リンクの下端部と上端部において軸着され、下端部が上記下方蓋と軸着される第５リンクとで構成し、
上記第４リンクがベルクランク状に形成されることにより、第４リンクの略中央に設けられる軸着部と第５リンクとの軸着部の中心を結ぶ直線の延長線よりも第３リンクとの軸着部が上方に位置するように形成するとともに、
上記第４リンクと第５リンクとの軸着部を、第５リンクの長手方向に沿って穿設された長孔内に摺動可能に形成してなることを特徴とする建物用避難ハッチ。
【考案の詳細な説明】
【技術分野】
【０００１】
本考案は、建物用避難ハッチに関するもので、更に詳細には、床・ベランダ等のスラブに設けられた孔部に取り付けられる枠体と、枠体の一側壁側に軸着されて上方に開蓋する上方蓋と、上記側壁と対向する反対側壁側に軸着されて下方に開蓋する下方蓋と、上方蓋と下方蓋とを連動開閉するリンク機構とをそれぞれ具備する建物用避難ハッチに係るものであり、特に上方蓋と下方蓋とが互い違いの方向に開閉するものに関する。
【背景技術】
【０００２】
従来の建物用避難ハッチにおいては、特開平２−１０２６７６号公報に見られるように、下蓋体固定装置が枠体に設けられて開蓋状態のリンク装置と当接・固定状態となり、風等による下蓋体の閉方向への揺動を阻止し、避難時の安全を確保したものがある。
【特許文献１】特開平２−１０２６７６号公報
【考案の開示】
【考案が解決しようとする課題】
【０００３】
しかし、特開平２−１０２６７６号公報記載の構成においては、下蓋体の開蓋状態において、枠体を回転可能に軸着される回転係止片の切欠部と、上記下蓋体と枠体とに連結されるリンク装置に設けられる当接部の当り部との係合によりリンク装置の開方向への移動を阻止して下蓋体の開放姿勢を維持するため、係合を解除しなければ上下蓋を閉鎖することができず、訓練等のため開蓋した場合などに再び閉蓋するのが面倒であるとともに、構成部品が多いため、コスト高になるという問題を有していた。
【０００４】
そこで本考案においては、上方・下方蓋が開蓋されているとき、下方蓋にかかる閉方向への力に対して、枠体に軸着されるリンク機構により上方蓋まで力を伝達しないようにすることで開蓋状態を維持して、上階・下階のいずれに対しても安全に避難することができる建物用避難ハッチの提供を目的としている。
【課題を解決するための手段】
【０００５】
上記目的を達成するために、本考案に係る避難ハッチでは、上記リンク機構を、上端部が上記上方蓋に軸着される第１リンクと、上記枠体に形成される第１取付部に中間部が軸着されるとともに、上記第１リンクの下端部と上端部において軸着される第２リンクと、上記第２リンクの下端部と上端部が軸着される第３リンクと、上記第３リンクの下端部と上端部において軸着されるとともに、略中央部が上記枠体の側壁部内方に突設される第２取付部と軸着されるベルクランク状の第４リンクと、上記第４リンクの下端部と上端部において軸着され、下端部が上記下方蓋と軸着される第５リンクとで構成し、上記第４リンクがベルクランク状に形成されることにより、第４リンクの略中央に設けられる軸着部と第５リンクとの軸着部の中心を結ぶ直線の延長線よりも第３リンクとの軸着部が上方に位置するように形成するとともに、上記第４リンクと第５リンクとの軸着部を、第５リンクの長手方向に沿って穿設された長孔内に摺動可能に形成することで、上記下方蓋の回転が上記第４リンクより先に伝達しないようにするものである。
【考案の効果】
【０００６】
かかる構成を有する本考案の避難ハッチによれば、上方蓋を開放することにより下方蓋が連動して開放されると、第４リンクの略中央に設けられる軸着部と第５リンクとの軸着部の中心を結ぶ直線の延長線よりも第３リンクとの軸着部が上方に位置するように形成され、第４リンクは上方・下方蓋が開放するときと同じ方向に回転しようとするため、風等により下方蓋に閉方向に力がかかっても、上方蓋が勝手に閉じてしまうようなことはなく、安全に避難を行うことが可能となる。また、第４リンクと第５リンクとの間の軸着部を長孔状に形成しているため、長孔の範囲内であれば、下方蓋から閉方向にかかる力に対して、その先のリンクまで力を伝達せず、下方蓋が揺動するのみとなるため、更に安全である。
【考案を実施するための最良の形態】
【０００７】
以下に、本考案の最良の実施形態を添付図面に基づいて詳細に説明する。
【０００８】
図１は本発明に係る避難装置の使用状態を示す縦断面図、図２は本発明に係る避難装置の閉蓋状態を示す縦断面図、図３は本発明に係る避難装置の開蓋状態を示す縦断面図、図４は本発明に係る避難装置の要部を示す閉蓋状態の拡大縦断面図、図５は本発明に係る避難装置の要部を示す開蓋状態の拡大縦断面図である。
【０００９】
本考案に係る避難装置は、図１に示すように、床・ベランダ等のスラブＳに設けられた角孔状の孔部Ｈに取り付けられる方形状の枠体１と、この枠体１の床面及び天井面側にそれぞれ上部支持軸１４及び下部支持軸１５によって軸着される上方蓋２及び下方蓋３と、上方蓋２及び下方蓋３を互いに連結し、上方蓋２の開閉に連動して下方蓋３を開閉し、かつ開放されたとき上方蓋２をほぼ直立状に固定維持するリンク機構４とで構成され、火災時等において上方蓋２を開放して、階下の壁面に設けられるタラップＴ等を伝って避難を行うものである。
【００１０】
枠体１は、上部側にスラブＳ内に下方の一部が埋設される段部１２を有し、かつ下端には外向きのＬ型状の下部フランジ１３を折曲した４個の側壁部１１を方形状に枠組みした構造となっている。なお図１乃至図５中の符号５は、中央部長手方向に長孔が形成される開き止め片であり、閉蓋時において上方蓋２の内面に溶接等により設けられるロック片６に係合状態としておくことで、子供のいたずら等により誤って開蓋されることを防止するものである。上方蓋２を若干開放し、ロック片６から開き止め片５を外すことにより、係合が解除される。
【００１１】
上記のように構成される枠体１の対向する側壁部１１の内側面には、それぞれ下部支持軸１５が突設されており、この下部支持軸１５に下方蓋３が開閉可能に軸着されている。この下部支持軸１５は、枠体１に穿設された透孔（図示せず）に外側から貫挿されて、例えばスポット溶接によって固着された状態で突設されている。
【００１２】
上記リンク機構４は左右一対設けられており、各リンク機構４は、上端部が上記上方蓋２に軸着される第１リンク４１と、上記枠体１に形成される第１取付部１６に中間部が軸着されるとともに、上記第１リンク４１の下端部と上端部において軸着される第２リンク４２と、上記第２リンク４２の下端部と上端部が軸着される第３リンク４３と、上記第３リンク４３の下端部と上端部において軸着されるとともに、略中央部が上記枠体１の側壁部１１内方に突設される第２取付部１７と軸着されるベルクランク状の第４リンク４４と、上記第４リンク４４の下端部と上端部において軸着され、下端部が上記下方蓋３と軸着される第５リンク４５とで構成し、上記第４リンク４４がベルクランク状に形成されることにより、第４リンク４４の略中央に設けられる軸着部と第５リンクとの軸着部の中心を結ぶ直線の延長線よりも第３リンク４３との軸着部が上方に位置するように形成するとともに、上記第４リンク４４と第５リンク４５との軸着部を、第５リンク４５の長手方向に沿って穿設された長孔４５ａ内に摺動可能に形成している。
【００１３】
この場合、第１リンク４１の下端側の軸着軸よりも外側に、垂直状に折り曲げたストッパ片４１ａを形成し、開蓋時において第２リンク４２の側面と当接させることによって、第１リンク４１と第２リンク４２とを直列状態で固定する。
【００１４】
なお、第２リンク４２と枠体１との軸着部は、図１乃至図５に示すように、枠体１の側壁部１１に形成された内方に向かって膨隆する略截頭円錐状の第１取付部１６及び第２リンク４２の透孔に軸止用ボルト４６を貫通し、軸止用ボルト４６の突出部に座金を介してナットを螺合することによって構成される。
【００１５】
また、第４リンク４４と枠体１との軸着部は、図１乃至図５に示すように、枠体１の側壁部１１に溶接等により固定される断面ハット形の第２取付部１７の略中央部に穿設される透孔に軸止用ボルト４６を貫通し、軸止用ボルト４６の突出部に座金を介してナットを螺合することによって構成される。
【００１６】
上記のように構成される本発明の蓋の取付構造において、上方蓋２及び下方蓋３を閉鎖させると、第１リンク４１と第２リンク４２、第２リンク４２と第３リンク４３、第４リンク４４と第５リンク４５がそれぞれの軸着部において折れ曲がるとともに第４リンク４４が第３リンク４３との軸着部４４ｂを第５リンク４５との軸着部４５ａよりも下方に位置するように回転することにより、リンク機構４が枠体１内に納まる（図２参照）。この状態から、上方蓋２が上部支持軸１４を支点として開放移動すると、図３に示すように、第４リンク４４が（図において）右回りに回転して、第１リンク４１と第２リンク４２とが直列状態に近づくとともに、第５リンク４５により下方蓋３が下方に押圧されて開放移動を開始する。そして、第１リンク４１と第２リンク４２とが直列状態となった時、第１リンク４１のストッパ片４１ａが第２リンク４２の側面に当接し、それ以上の開放移動が規制されるとともに、上方蓋２の閉鎖方向への移動も規制される。
【００１７】
また、開放状態において、風圧等によって下方蓋３が煽られ水平方向の荷重を受け下部支持軸１５を支点として閉方向に回転しても、第４リンク４４がベルクランク状に形成されており、第４リンク４４の略中央に設けられる軸着部４４ａと第５リンク４５との軸着部４５ａの中心を結ぶ直線の延長線よりも、第４リンク４４と第３リンク４３との軸着部４４ｂが上方に位置するため、第４リンク４４は上方蓋２及び下方蓋３が開放するときと同じ方向に回転しようとするが、前述の通り第１リンク４１と第２リンク４２とが直列状態になっており、第１リンク４１のストッパ片４１ａが第２リンク４２の側面に当接し、それ以上の回転移動が規制された状態であるため、上方蓋２が閉鎖してしまうような危険性を防止することができる。
【００１８】
また、第４リンク４４と第５リンク４５とは摺動可能に軸着されており、第４リンク４４と第５リンク４５との軸着部で長孔４５ａの範囲内において下方蓋３の回転を吸収することができるため、風等により下方蓋３に作用する水平方向の力が小さいときは、下方蓋３が長孔４５ａの範囲内で揺動するのみであり、下方蓋３の回転がリンク機構４を介して上方蓋２に伝達されることがない。従って、不用意に上方蓋２が閉鎖する危険性を更に防止することができる。
【００１９】
なお、下方蓋３が開方向、すなわち下方蓋３が更に開放する方向の力を受けた場合について、下方蓋３は通常、力を受けていない場合ほぼ垂下状態となっているが、風の方向等によっては更に開方向に回転しようとする場合も考えられる。通常はリンク機構４の移動範囲の限界までの回転で収まるため、問題となることは少ないが、下方蓋３と枠体１との間に下方蓋３が垂下状態よりも開放方向に回転するのを防止するリンク部材等（図示なし）を追加すると、更に安全性が高められる。
【図面の簡単な説明】
【００２０】
【図１】本発明に係る避難装置の使用状態を示す縦断面図である。
【図２】本発明に係る避難装置の閉蓋状態を示す縦断面図である。
【図３】本発明に係る避難装置の開蓋状態を示す縦断面図である。
【図４】本発明に係る避難装置の要部を示す閉蓋状態の拡大縦断面図である。
【図５】本発明に係る避難装置の要部を示す開蓋状態の拡大縦断面図である。
【符号の説明】
【００２１】
Ｓ      スラブ
Ｈ      孔部
Ｔ      タラップ
１      枠体
１１    側壁部
１２    段部
１３    下部フランジ
１４    上部支持軸
１５    下部支持軸
１６    第１取付部
１７    第２取付部
２      上方蓋
２１    ブラケット
３      下方蓋
４      リンク機構
４１    第１リンク
４１ａ  ストッパ片
４２    第２リンク
４３    第３リンク
４４    第４リンク
４４ａ  （第４リンクと第２取付部との）軸着部
４４ｂ  （第３リンクと第４リンクとの）軸着部
４５    第５リンク
４５ａ  長孔
４６    軸止用ボルト
５      開き止め片
６      ロック片
【図１】
0003113695.tif 000003
【図２】
0003113695.tif 000004
【図３】
0003113695.tif 000005
【図４】
0003113695.tif 000006
【図５】
0003113695.tif 000007